(57)【特許請求の範囲】
【請求項１】
シリンダヘッド（５）上に分離可能に結合されると共に機関弁（Ｖ）のステム（８）の上部を下方から挿入可能に構成されたケーシング（１１）と、該ケーシング（１１）内に移動可能に収納されてステム（８）の上端に分離可能に且つ同軸に連接したアーマチュア（１２）と、該アーマチュア（１２）を吸引して機関弁（Ｖ）を開弁作動せしめる電磁力を発揮すべくアーマチュア（１２）の下面に対向する位置でケーシング（１１）内に配置される第１電磁石（１３）と、アーマチュア（１２）を吸引して機関弁（Ｖ）を閉弁作動せしめる電磁力を発揮すべくアーマチュア（１２）の上面に対向する位置でケーシング（１１）内に配置される第２電磁石（１４）と、ケーシング（１１）内で第１および第２電磁石（１３，１４）間に介在してアーマチュア（１２）を囲繞するスリーブ（５０）と、機関弁（Ｖ）を開弁方向に付勢する弾発力を発揮する第１弾発手段（１５）と、ステム（８）に固定されるリテーナ（３８）とシリンダヘッド（５）側の固定位置との間に設けられて、機関弁（Ｖ）を閉弁方向に付勢する弾発力を発揮するとともに第１および第２電磁石（１３，１４）の消勢時には第１弾発手段（１５）と共働してアーマチュア（１２）を所定の中立位置に保持する第２弾発手段（１６）とを備えてなり、
アーマチュア（１２）のステム（８）との非連接時には、第１弾発手段（１５）が該アーマチュア（１２）を第１電磁石（１３）に押し当てて支持する弾発力を発揮するようにした内燃機関の動弁装置であって、
ケーシング（１１）の上端部には、ステム（８）の軸方向に沿う移動を可能としてガイド部材（３１）が支持されると共に、そのガイド部材（３１）の軸方向外方側への移動端を調整可能として規制する規制手段（３３）がケーシング（１１）に設けられ、
そのガイド部材（３１）には、アーマチュア（１２）に一端が固定されて機関弁（Ｖ）のステム（８）とは反対側に延びるガイド軸（４１）が摺動可能に嵌合されると共に、そのガイド軸（４１）及びガイド部材（３１）間に第１弾発手段（１５）が設けられ、
ケーシング（１１）の下端部には、ステム（８）と同軸方向に進退可能な支持筒（２５）と、該支持筒（２５）をその進退位置を調整可能としてケーシング（１１）に固定する固定手段（２６）とが設けられると共に、該支持筒（２５）の上端と、ケーシング（１１）の上端部に配置したシム（５１）との間に、スリーブ（５０）を相互間に介在せしめた第１及び第２電磁石（１３，１４）が挟持されることで、その両電磁石（１３，１４）がケーシング（１１）内で相互に離反する方向の移動を規制されることを特徴とする、内燃機関の動弁装置。
【請求項２】
ステム（８）の周方向に間隔をあけた複数個所でケーシング（１１）の外周部に、上下に延びる支持部（２１1 〜２１3 ）が一体に設けられ、それらの支持部（２１1 〜２１3 ）がシリンダヘッド（５）の上面に締結されることを特徴とする、請求項１記載の内燃機関の動弁装置。
【発明の詳細な説明】
【０００１】
【発明の属する技術分野】
本発明は、内燃機関の動弁装置に関し、特に、シリンダヘッド上に結合されるケーシングと、機関弁のステムに連動、連結されるアーマチュアと、機関弁の開弁および閉弁方向に向けての電磁力をアーマチュアにそれぞれ及ぼす一対の電磁石と、機関弁をその開弁および閉弁方向に向けてそれぞれ付勢するとともに両電磁磁石の消勢時には共働してアーマチュアを所定の中立位置に保持する一対の弾発手段とを備える内燃機関の動弁装置に関する。
【０００２】
【従来の技術】
従来、かかる動弁装置は、たとえばＰＣＴ国際公開公報ＷＯ９５／００９５９等により既に知られている。
【０００３】
【発明が解決しようとする課題】
上記公報で開示されたものでは、アーマチュアが機関弁のステムの上端部に固定されており、シリンダヘッドへの組付時には、ケーシング内に配設される各部品がシリンダヘッド側から順に組み付けられ、最終的にそれらの部品を覆うようにしてケーシングがシリンダヘッドに組付けられており、狭いスペースでの組付作業となるので、組付性が優れているとは言い難い。
【０００４】
本発明は、かかる事情に鑑みてなされたものであり、組付性に優れた内燃機関の動弁装置を提供することを目的とする。
【０００５】
【課題を解決するための手段】
上記目的を達成するために、請求項１記載の発明によれば、シリンダヘッド上に分離可能に結合されると共に機関弁のステムの上部を下方から挿入可能に構成されたケーシングと、該ケーシング内に移動可能に収納されてステムの上端に分離可能に且つ同軸に連接したアーマチュアと、該アーマチュアを吸引して機関弁を開弁作動せしめる電磁力を発揮すべくアーマチュアの下面に対向する位置でケーシング内に配置される第１電磁石と、アーマチュアを吸引して機関弁を閉弁作動せしめる電磁力を発揮すべくアーマチュアの上面に対向する位置でケーシング内に配置される第２電磁石と、ケーシング内で第１および第２電磁石間に介在してアーマチュアを囲繞するスリーブと、機関弁を開弁方向に付勢する弾発力を発揮する第１弾発手段と、ステムに固定されるリテーナとシリンダヘッド側の固定位置との間に設けられて、機関弁を閉弁方向に付勢する弾発力を発揮するとともに第１および第２電磁石の消勢時には第１弾発手段と共働してアーマチュアを所定の中立位置に保持する第２弾発手段とを備えてなり、アーマチュアのステムとの非連接時には、第１弾発手段が該アーマチュアを第１電磁石に押し当てて支持する弾発力を発揮するようにした内燃機関の動弁装置であって、ケーシングの上端部には、ステムの軸方向に沿う移動を可能としてガイド部材が支持されると共に、そのガイド部材の軸方向外方側への移動端を調整可能として規制する規制手段がケーシングに設けられ、そのガイド部材には、アーマチュアに一端が固定されて機関弁のステムとは反対側に延びるガイド軸が摺動可能に嵌合されると共に、そのガイド軸及びガイド部材間に第１弾発手段が設けられ、ケーシングの下端部には、ステムと同軸方向に進退可能な支持筒と、該支持筒をその進退位置を調整可能としてケーシングに固定する固定手段とが設けられると共に、該支持筒の上端と、ケーシングの上端部に配置したシムとの間に、スリーブを相互間に介在せしめた第１及び第２電磁石が挟持されることで、その両電磁石がケーシング内で相互に離反する方向の移動を規制されることを特徴とする。
【０００６】
このような構成によれば、ステムおよびアーマチュアは相互に分離可能であり、ケーシング内に両電磁石、アーマチュアおよび第１弾発手段を収納、配設してユニット化することが可能であり、シリンダヘッド側に機関弁および第２弾発手段が組付けられた状態で、前記ユニットをシリンダヘッドに組付けることにより、ステムがアーマチュアに連接されて動弁装置のシリンダヘッドへの組付が終了することになる。また第１および第２電磁石が、相互に離反する方向の移動をケーシングの両端部で規制されて該ケーシング内に収納され、両電磁石間にアーマチュアを囲繞するスリーブが介在せしめられることにより、両電磁石間の間隔を適切に設定することができる。またアーマチュアに、機関弁のステムとは反対側に延びるガイド軸の一端が固定され、ケーシングの上端部に支持されたガイド部材に前記ガイド軸が摺動可能に嵌合されることにより、ステムに分離可能に連接されるアーマチュアの移動をガイド部材で支承するようにして、機関弁の開閉作動中におけるステムの上端の振動がアーマチュアに及ぶことを極力回避し、アーマチュアの挙動を安定化することができる。さらにガイド部材が、ステムの軸方向に沿う移動を可能としてケーシングの上端部に支持され、ケーシングには、ガイド部材の軸方向外方側への移動端を調整可能として規制する規制手段が設けられ、第１弾発手段がガイド軸およびガイド部材間に設けられることにより、ガイド部材の軸方向位置を自在に調整して第１および第２弾発手段の弾発力を調整することができる。しかもケーシングの下端部に、ステムと同軸方向に進退可能な支持筒と、該支持筒をその進退位置を調整可能としてケーシングに固定する固定手段とが設けられ、スリーブを相互間に介在せしめた第１および第２電磁石が、ケーシング上端部のシムおよび支持筒の上端間に挟持されることにより、アーマチュアの中立位置ならびに中立位置に在るアーマチュアおよび両電磁石間の距離を調整しつつ、両電磁石をケーシング内で強固に固定することができる。
【０００７】
さらに請求項２記載の発明によれば、ステムの周方向に間隔をあけた複数個所でケーシングの外周部に、上下に延びる支持部が一体に設けられ、それらの支持部がシリンダヘッドの上面に締結されることを特徴とし、これにより、ケーシングならびに該ケーシング内に収納される両電磁石、アーマチュアおよび第１弾発手段を含むユニットのシリンダヘッドへの組付時に、ステムの軸心と、両電磁石およびアーマチュアの軸心とを確実に合わせることが可能となる。
【０００８】
【発明の実施の形態】
以下、本発明の実施の形態を、添付図面に示した本発明の実施例に基づいて説明する。
図１ないし図４は本発明の一実施例を示すものであり、図１は動弁装置の縦断面図であって図２の１−１線断面図、図２は図１の２矢視平面図、図３は図１の要部拡大図、図４は組付時の状態を示す動弁装置の分解縦断面図である。
【０００９】
先ず図１において、この内燃機関のシリンダヘッド５には、吸気弁あるいは排気弁である機関弁Ｖが１気筒について一対ずつ配設される。該機関弁Ｖは、シリンダヘッド５に設けられた弁口６を開閉可能な弁体部７と、該弁体部７に一体に連設されるステム８とから成り、ステム８はガイド筒９内に摺動自在に嵌合される。このガイド筒９は、半径外方に張出すフランジ部９ａを上端に備えるものであり、フランジ部９ａをシリンダヘッド５の上面に係合せしめるまでシリンダヘッド５に圧入されることにより、シリンダヘッド５に固定される。
【００１０】
シリンダヘッド５には、本発明に従う動弁装置１０が配設されており、該動弁装置１０が、機関弁Ｖにおけるステム８の上端に連結される。
【００１１】
この動弁装置１０は、シリンダヘッド５上に分離可能に結合されるケーシング１１と、該ケーシング１１内に移動可能に収納されて機関弁Ｖのステム８に連動、連結されるアーマチュア１２と、該アーマチュア１２を吸引して機関弁Ｖを開弁作動せしめる電磁力を発揮すべくアーマチュア１２の下面に対向する位置でケーシング１１内に配置される第１電磁石１３と、前記アーマチュア１２を吸引して機関弁Ｖを閉弁作動せしめる電磁力を発揮すべくアーマチュア１２の上面に対向する位置でケーシング１１内に配置される第２電磁石１４と、機関弁Ｖを開弁方向に付勢する弾発力を発揮する第１弾発手段としての第１コイルばね１５と、機関弁Ｖを閉弁方向に付勢する弾発力を発揮するとともに第１および第２電磁石１３，１４の消勢時には第１コイルばね１５と共働してアーマチュア１２を所定の中立位置に保持する第２弾発手段としての第２コイルばね１６とを備える。
【００１２】
図２を併せて参照して、ケーシング１１は、一対の機関弁Ｖに共通にしてシリンダヘッド５の上面に締結されるものであり、ケーシング主体１７と、該ケーシング主体１７の上面に固定される蓋板１８とから成る。ケーシング主体１７には、各機関弁Ｖに個別に対応してステム８と同軸に延びる収納孔１９が設けられており、蓋板１８は、両収納孔１９の上端を閉じるようにしてケーシング主体１７の上面に、複数たとえば４つのボルト２０，２０…によって締結される。
【００１３】
またケーシング主体１７の外周部の下部には、上下に延びる３つの支持部２１1 ，２１2 ，２１3 が一体に設けられており、支持部２１1 ，２１2 は、一方の機関弁Ｖのステム８の周方向に等間隔をあけた２個所に配置され、支持部２１2 ，２１3 は、他方の機関弁Ｖのステム８の周方向に等間隔をあけた２個所に配置される。これらの支持部２１1 〜２１3 には、締結ボルト２２…がそれぞれ挿通され、各締結ボルト２２…がシリンダヘッド５に螺合されることにより、ケーシング１１がシリンダヘッド５の上面に締結される。
【００１４】
図３を併せて参照して、ケーシング１１における下端部すなわちケーシング主体１７の下端部には、収納孔１９の内面から半径方向内方に張出す支持鍔２４が一体に設けられており、この支持鍔２４に、機関弁Ｖのステム８と同軸方向に進退可能な支持筒２５と、該支持筒２５をその進退位置を調整可能として支持鍔２４に固定する固定手段２６とが設けられる。
【００１５】
支持筒２５は、支持鍔２４の内周に設けられた雌ねじ２７に螺合されるものであり、その回転操作によりステム８と同軸方向への進退が可能である。また固定手段２６は、支持筒２５の雌ねじ２７への螺合構造と、支持筒２５に螺合されて支持鍔２４の下面に係合する止めナット２８とによりダブルナット構造に構成されるものであり、支持筒２５をステム８と同軸方向に進退可能として支持鍔２４すなわちケーシング１１の下端部に強固に固定することができる。
【００１６】
一方、ケーシング１１の上端部すなわち蓋板１８には、ステム８と同軸である支持孔２９を形成する円筒部３０が上方に突出するようにして一体に設けられており、ステム８の軸方向に沿う移動を可能として筒状のガイド部材３１の上部が支持孔２９に摺動自在に嵌合され、該ガイド部材３１には、その上下方向全長にわたる摺動孔３２が穿設される。
【００１７】
円筒部３０には、ガイド部材３１の軸方向外方側への移動端を調整可能として規制する規制手段３３が設けられる。該規制手段３３は、ガイド部材３１の上端を閉塞端に当接させるようにして円筒部３０に螺合される袋ナット３４と、該袋ナット３４の進退位置を規制するようにして円筒部３０に螺合される止めナット３５とでダブルナット構造に構成されるものであり、袋ナット３４の進退位置を調整することにより、ガイド部材３１の軸方向外方側への移動端を調整可能として強固に規制することができる。また袋ナット３４の閉塞端には、ガイド部材３１の摺動孔３２に同軸に連なる開放孔３６が設けられる。
【００１８】
機関弁Ｖにおけるステム８の上部は、支持筒２５を同軸に貫通するようにして下方からケーシング主体１７に挿入されるものであり、ステム８の上端部には、二つ割りコッタ３７によりリテーナ３８が固定される。またシリンダヘッド５の上面には、ガイド筒９の上端のフランジ部９ａを覆うようにしてキャップ状の受け部材３９が当接されており、該受け部材３９を軸方向移動自在に貫通するステム８を囲繞する第２コイルばね１６がリテーナ３８および受け部材３９間に設けられ、この第２コイルばね１６のばね力によりステム８すなわち機関弁Ｖが閉弁方向に弾発付勢される。しかも受け部材３９内には、ステム８の外面に摺接するリング状のシール部材４０が保持される。
【００１９】
アーマチュア１２は、円筒部１２ａと、該円筒部１２ａの軸方向中間部から半径方向外方に張出す鍔部１２ｂと、円筒部１２ａの軸方向中間部から半径方向内方に張出す規制鍔部１２ｃとを有して円盤状に形成される。
【００２０】
このアーマチュア１２には、機関弁Ｖのステム８と同軸にして該ステム８とは反対側に延びるガイド軸４１の一端が固定される。すなわちガイド軸４１の一端すなわち下端には、アーマチュア１２における規制鍔部１２ｃの下面に係合する係合鍔部４１ａが設けられており、圧入等によりガイド軸４１の下部に嵌装、固定されるリング４２が規制鍔部１２ｃの上面に係合される。これにより、アーマチュア１２の規制鍔部１２ｃが係合鍔部４１ａおよびリング４２で挟持され、アーマチュア１２にガイド軸４１の一端が固定される。
【００２１】
ガイド軸４１の上部は、ガイド部材３１の摺動孔３２に摺動自在に嵌合される。ガイド部材３１およびガイド軸４１を囲繞する第１コイルばね１５は、アーマチュア１２側に臨んでガイド部材３１の上部に設けられた段部３１ａと、アーマチュア１２とは反対側に臨んでガイド軸４１の下部に設けられた段部４１ｂおよびリング４２との間に設けられ、この第１コイルばね１５のばね力により、アーマチュア１２は、下方すなわち機関弁Ｖの開弁方向に弾発付勢される。
【００２２】
アーマチュア１２には、機関弁Ｖにおけるステム８の上端が分離可能として同軸に連接せしめられるものであり、アーマチュア１２に同軸に固定されているガイド軸４１の下端面には、ステム８の上端を挿入、接触せしめる凹部４３が設けられる。
【００２３】
第１電磁石１３は、アーマチュア１２の下面に対向するようにして収納孔１９内の下部に固定的に配設されるものであり、ステム８および第２コイルばね１６を同軸に囲繞する円筒状のインナーヨーク４４と、該インナーヨーク４４を同軸に囲繞して収納孔１９に嵌合される円筒状のアウターヨーク４５と、合成樹脂から成るボビンにコイルが巻装されて成るとともにインナーヨーク４４およびアウターヨーク４５間に嵌入されるリング状のコイル組立体４６とから成る。インナーヨーク４５の下端部には、半径方向外方に張出したフランジ部４４ａが一体に設けられており、このフランジ部４４ａの外縁部がアウターヨーク４５の下端に係合される。
【００２４】
第２電磁石１４は、アーマチュア１２の上面に対向するようにして収納孔１９内の上部に固定的に配設されるものであり、ガイド軸４１およびガイド部材３１を同軸に囲繞する円筒状のインナーヨーク４７と、該インナーヨーク４７を同軸に囲繞して収納孔１９に嵌合される円筒状のアウターヨーク４８と、合成樹脂から成るボビンにコイルが巻装されて成るとともにインナーヨーク４７およびアウターヨーク４８間に嵌入されるリング状のコイル組立体４９とから成る。インナーヨーク４７の上端部には、半径方向外方に張出したフランジ部４７ａが一体に設けられており、このフランジ部４７ａの外縁部がアウターヨーク４８の上端に係合される。
【００２５】
第１電磁石１３のアウターヨーク４５と、第２電磁石１４のアウターヨーク４８との間には、アーマチュア１２を囲繞するリング状にして収納孔１９に嵌合されるスリーブ５０が介在せしめられる。また第１電磁石１３におけるインナーヨーク４４の下端は、支持筒２５の上端に当接、支持されており、第２電磁石１４におけるインナーヨーク４７の上端と、ケーシング１１における蓋板１８との間にはシム５１が介在せしめられる。すなわち、スリーブ５０を相互間に介在せしめた第１および第２電磁石１３，１４は、ケーシング１１の上端部に配置されたシム５１と支持筒２５の上端間に挟持されることにより、ケーシング１１内に固定される。
【００２６】
ケーシング主体１７の下端部において、支持鍔２４に対応する部分にはグロメット５２が嵌合されており、第１電磁石１３におけるコイル組立体４６のコイルに連なる一対のリード線５３…が該グロメット５２を貫通してケーシング１１の外方に引出される。また蓋板１８には、グロメット５４が嵌合されており、第２電磁石１４におけるコイル組立体４９のコイルに連なる一対のリード線５５…がグロメット５４を貫通してケーシング１１の外方に引き出される。
【００２７】
次にこの実施例の作用について説明すると、機関弁Ｖにおけるステム８の上部は、ケーシング１１の下端部における支持筒２５を同軸に貫通してケーシング１１内に下方から挿入可能である。また第１および第２電磁石１３，１４がケーシング１１内に固定されるとともに、ステム８の上端を分離可能として同軸に連接せしめるアーマチュア１２がケーシング１１内に収納され、機関弁Ｖを開弁方向に付勢するための第１コイルばね１５が、アーマチュア１２に固定されたガイド軸４１とケーシング１１の上端部に支持されたガイド部材３１との間に設けられてケーシング１１内に収納される。一方、ステム８における上端部にリテーナ３８が固定され、シリンダヘッド５の上面の固定位置に在る受け部材３９とリテーナ３８との間に、第２コイルばね１６が設けられる。
【００２８】
したがって、図３および図４で示すように、ケーシング１１内に第１および第２電磁石１３，１４、アーマチュア１２、ならびに該アーマチュア１２に固定されるガイド軸４１等を収納、配設して、予備組立ユニットＵとしてユニット化することが可能であり、シリンダヘッド５の上方の狭いスペースを避けて予備組立ユニットＵを予め組立てて準備しておくことができる。この予備組立ユニットＵにおいて、アーマチュア１２は第１コイルばね１５により第１電磁石１３に押し当てられ、第１電磁石１３で支持されている。
【００２９】
動弁装置１０のシリンダヘッド５への組付にあたっては、図４で示すように、リンダヘッド５側に機関弁Ｖおよび第２コイルばね１６等が組付けられた状態で、前記予備組立ユニットＵをシリンダヘッド５に組付ければよい。ケーシング１１のシリンダヘッド５への締結により、ケーシング１１内に下方から挿入されるステム８の上端が、ガイド軸４１の下端面の凹部４３に挿入、当接され、アーマチュア１２がステム８に同軸に連接されて上方に押し上げられて第１電磁石１３から離反する。これにより動弁装置１０の組立が完了するとともにシリンダヘッド５への組付が終了することになり、動弁装置１０の組付作業性を向上することができる。
【００３０】
しかもケーシング１１の下端部に、ステム８と同軸方向に進退可能な支持筒２５が設けられるとともに、該支持筒２５をその進退位置を調整可能としてケーシング１１に固定する固定手段２６とが設けられ、スリーブ５０を相互間に介在せしめた第１および第２電磁石１３，１４が、ケーシング１１の上端部のシム５１および支持筒２５の上端間に挟持されている。したがって、予備組立ユニットＵの状態で、第１および第２コイルばね１５，１６で定まるアーマチュア１２の中立位置、ならびに中立位置に在るアーマチュア１２および両電磁石１３，１４間の間隔を調整しつつ、両電磁石１３，１４をケーシング１１内で強固に固定することができる。
【００３１】
またガイド部材３１が、ステム８の軸方向に沿う移動を可能としてケーシング１１の上端部に支持され、ケーシング１１には、ガイド部材３１の軸方向外方側への移動端を調整可能として規制する規制手段３３が設けられ、第１コイルばね１５が、アーマチュア１２に固定されたガイド軸４１とガイド部材３１との間に設けられているので、ガイド部材３１の軸方向位置を自在に調整して第１コイルばね１５のばね力を調整することができ、さらには第１コイルばね１５のばね力変化に応じて第２コイルばね１６のばね力を調整することができる。
【００３２】
さらにステム８の周方向に間隔をあけた複数個所でケーシング１１の外周部に支持部２１1 〜２１3 が一体に設けられ、それらの支持部２１1 〜２１3 が締結ボルト２２…によりシリンダヘッド５の上面に締結されるので、予備組立ユニットＵ内に収納されている第１および第２電磁石１３，１４およびアーマチュア１２の軸心と、機関弁Ｖにおけるステム８の軸心とを確実に合わせることができる。
【００３３】
ところで、アーマチュア１２に固定されたガイド軸４１と、機関弁Ｖのステム８の上端は単に接触しているだけであり、ガイド軸４１が、ケーシング１１の上端部に支持されたガイド部材３１に摺動可能に嵌合されているので、ステム８とは分離可能であるアーマチュア１２の移動をガイド部材３１で支承するようにして、機関弁Ｖの開閉作動中におけるステム８の上端の振動がアーマチュア１２に及ぶことを極力回避し、アーマチュア１２の挙動を安定化することができる。
【００３４】
また両電磁石１３，１４は、上述のようにケーシング１１内で強固に固定されるものであるので、機関弁Ｖの開閉作動に伴って両電磁石１３，１４が微振動することはなく、機関弁Ｖの開閉作動安定化を図ることができる。
【００３５】
以上、本発明の実施例を詳述したが、本発明は上記実施例に限定されるものではなく、特許請求の範囲に記載された本発明を逸脱することなく種々の設計変更を行なうことが可能である。
【００３６】
【発明の効果】
以上のように本発明によれば、ステムおよびアーマチュアを相互に分離可能とし、ケーシング内に両電磁石、アーマチュアおよび第１弾発手段等を収納、配設してユニット化することができるから、シリンダヘッド側に機関弁および第２弾発手段が組付けられた状態で、前記ユニットをシリンダヘッドに組付けることによりステムがアーマチュアに連接され、動弁装置の組立ならびに動弁装置のシリンダヘッドへの組付を同時に終了させるようにして組付作業性を向上することができる。また第１および第２電磁石間の間隔を、両電磁石間にスリーブが介在せしめられることにより、適切に設定でき、さらにステムに分離可能に連接されるアーマチュアの移動をガイド部材で支承して、機関弁の開閉作動中におけるステムの上端の振動がアーマチュアに及ぶことを極力回避し、アーマチュアの挙動を安定化することができる。その上、ケーシングの上端部に支持されたガイド部材の軸方向外方側への移動端を、規制手段で調整して規制することにより、ガイド部材の軸方向位置を自在に調整して第１および第２弾発手段の弾発力を調整できる。
【００３７】
またケーシングの下端部には、ステムと同軸方向に進退可能な支持筒と、該支持筒をその進退位置を調整可能としてケーシングに固定する固定手段とが設けられると共に、該支持筒の上端と、ケーシングの上端部に配置したシムとの間に、スリーブを相互間に介在せしめた第１及び第２電磁石が挟持されることで、その両電磁石がケーシング内で相互に離反する方向の移動を規制されるので、スリーブを相互間に介在せしめた第１および第２電磁石を、ケーシング上端部のシムおよび支持筒の上端間に挟持するようにして、アーマチュアの中立位置ならびに中立位置に在るアーマチュアおよび両電磁石間の距離を調整しつつ両電磁石をケーシング内で強固に固定することができる。
【００３８】
また特に請求項２の発明によれば、ステムの周方向に間隔をあけた複数個所でケーシングの外周部に、上下に延びる支持部が一体に設けられ、それらの支持部がシリンダヘッドの上面に締結されるので、ケーシングならびに該ケーシング内に収納される両電磁石、アーマチュアおよび第１弾発手段を含むユニットのシリンダヘッドへの組付時に、ステムの軸心と、両電磁石およびアーマチュアの軸心とを確実に合わせることが可能となる。
【図面の簡単な説明】
【図１】動弁装置の縦断面図であって図２の１−１線断面図である。
【図２】図１の２矢視平面図である。
【図３】図１の要部拡大図である。
【図４】組付時の状態を示す動弁装置の分解縦断面図である。
【符号の説明】
５・・・シリンダヘッド
８・・・ステム
１０・・・動弁装置
１１・・・ケーシング
１２・・・アーマチュア
１３・・・第１電磁石
１４・・・第２電磁石
１５・・・第１弾発手段としての第１コイルばね
１６・・・第２弾発手段としての第２コイルばね
２１1 〜２１3 ・・・支持部
２５・・・支持筒
２６・・・固定手段
３１・・・ガイド部材
３３・・・規制手段
３８・・・リテーナ
４１・・・ガイド軸
５０・・・スリーブ
５１・・・シム
Ｖ・・・・機関弁
【図１】
0003599147.tif 000002
【図２】
0003599147.tif 000003
【図３】
0003599147.tif 000004
【図４】
0003599147.tif 000005